(57)【要約】      （修正有）【課題】極性を気にすることなく差し替えできる照明灯およびこれを使用した照明器具を提供する。【解決手段】縦続接続された複数の発光素子２５と、初段の発光素子２５ａのアノード側に接続される第１の整流回路３０と、終段の発光素子２５ｎのカソード側に接続される第２の整流回路４０から照明灯が構成される。発光素子２５としてはＬＥＤが使用される。第１の整流回路３０の内部端子（接続中点）ｐ，ｑは、初段の発光素子２５ａのアノード側に接続され、第２の整流回路４０の内部端子（接続中点）ｐ，ｑは、終段の発光素子２５ｎのカソード側に接続されるので、整流回路３０，４０の外部端子１〜４に印加される電圧の極性を気にしないでも、発光素子２５を点灯させることができる。【選択図】図２
2013235655.tif 000002
【特許請求の範囲】
【請求項１】
縦続接続された複数の発光素子と、
初段の発光素子のアノード側に接続される第１の整流回路と、
終段の発光素子のカソード側に接続される第２の整流回路と
からなることを特徴とする照明灯。
【請求項２】
上記発光素子はＬＥＤであることを特徴とする請求項１記載の照明灯。
【請求項３】
上記第１および第２の整流回路は、ブリッジ回路であって、それぞれ一対の外部端子と内部端子を有し、
上記第１の整流回路の内部端子は、上記初段の発光素子のアノード側に接続され、
上記第２の整流回路の内部端子は、上記終段の発光素子のカソード側に接続される
ことを特徴とする請求項２記載の照明灯。
【請求項４】
器具本体と、
この器具本体に取り付けられた請求項１〜３記載の照明灯と、
この照明灯に供給される電源回路と
からなることを特徴とする照明器具。
【請求項５】
上記電源回路は、上記照明灯への電源を供給する定電流源構成の照明灯用の電源回路を有し、
この照明灯用の電源回路にはマイコンで構成された制御回路が関連され、
この制御回路には調光用の制御信号、停電検知信号、人感センサからのセンサ信号、点灯時間を調整するための制御信号のうち任意の信号を受信できる通信ポートが設けられた
ことを特徴とする請求項４記載の照明器具。
【請求項６】
照明器具の点灯および消灯を行うオンオフ用のスイッチが設けられ、
オン操作後の所定時間内に上記スイッチの
オンオフ操作が行われたときには、そのオンオフ操作の繰り返し回数に応じて調光レベルがコントロールされるようになされた
ことを特徴とする請求項４記載の照明器具。
【請求項７】
停電時に駆動電圧を上記照明灯に印加するための非常用電源回路と、この非常用電源回路を充電する充電回路と、停電切り替え回路とからなる停電回路が設けられ、
交流電源の停電状態を検知した信号が上記停電回路に供給されたとき、上記非常用電源回路の非常用電圧が上記照明灯に駆動電圧として印加されるようになされた
ことを特徴とする請求項４記載の照明器具。
【発明の詳細な説明】
【技術分野】
【０００１】
この発明は、発光素子を使用した照明灯およびそれを使用した照明器具に関する。
【背景技術】
【０００２】
居室や、オフィスなどに使用される照明灯としては長らく蛍光灯が使用されてきた。
【０００３】
蛍光灯に代え近年、ＬＥＤなどの発光素子を使用した照明灯に変わりつつある。発光素子からなる照明灯は、長寿命である上、省電力化を図れるので、販売価格が高くても、蛍光灯を使用した照明器具に代える傾向が強い。
【０００４】
蛍光灯を使用した照明器具としては数々の先行技術が存在する。そのうちでも最近ではまたＬＥＤを用いた照明器具に関する先行技術も多数存在する（例えば特許文献１〜４）。
【０００５】
特許文献１は、ＬＥＤを使用した照明器具のうち、その点灯回路の保護に関する発明であり、特許文献２はＬＥＤ照明器具における調光の具体例を示すもので、可変抵抗器を設け、その値に応じてＬＥＤの明るさを調整するものである。特許文献３も調光回路の一例で、調光コントロール信号に基づいて調光回路部が制御される構成となされるが、調光コントロール信号の生成手段については開示されていない。特許文献４もまた調光に関する発明であって、制御部を設け、設定モードによって調光の調整が行われる。
【先行技術文献】
【特許文献】
【０００６】
【特許文献１】特開２０１１−７７０３７号公報
【特許文献２】特開２０１２―１４９５３号公報
【特許文献３】特開平６−３２５８９０号公報
【特許文献４】特開２０１２−４８８５４号公報
【発明の概要】
【発明が解決しようとする課題】
【０００７】
ところで、ＬＥＤなどの発光素子を使用した照明灯にあっても蛍光灯と同じく、同サイズで、同一形態となされた直管式のＬＥＤ照明灯（照明灯）が開発されている。直管式のＬＥＤ照明灯の場合には、蛍光灯用照明器具のうち、天井などに取り付けられている既存の器具本体や、この器具本体に設けられたソケット（コネクタ）などを、ＬＥＤ照明灯用の器具本体やソケットとしても流用することが可能である。
【０００８】
ＬＥＤ照明灯は直流電源で駆動されるのに対し、蛍光灯は交流電圧で駆動されるため、蛍光灯の照明器具で必要な安定器などは不要になる。安定器からは通常４本の電源ラインが導出され、そのうちの２本の電源ラインが一方のソケットの内部端子（差し込み口）に接続され、他方の２本の電源ラインが他方のソケットの内部端子に接続されている。
【０００９】
これに対して、ＬＥＤ照明灯は直流電圧が印加されるため、原理的には２本の口金ピンがあれば充分であるが、蛍光灯と同一形態となっているため片側２本ずつの口金ピンを有するのが一般的である。
【００１０】
ＬＥＤ用電源回路からはプラスの電源ライン（電源端子）と、マイナスの電源ライン（電源端子）の２本が引き出されるから、この２本の電源ラインの一方（例えばプラスの電源ライン）は上述した一方のソケットに設けられた２本の内部端子の何れかに接続され、他方の電源ライン（マイナスの電源ライン）も、もう片方のソケットに設けられた２本の内部端子の何れかに接続される。
【００１１】
ＬＥＤからなる照明灯は電圧を印加するときの極性があるため、ソケットＢに供給されている電圧の極性（プラスとマイナス）と、ＬＥＤ照明灯の極性（アノードとカソード）が一致しないと、照明灯を構成する発光素子には通電されず、発光素子を点灯させることができない。点灯させることができないばかりか、発光素子自体が破損したり、破壊されたりすることがある。
【００１２】
工事担当者がその場で、安定器取り外しなどの代替工事をした後でＬＥＤ照明灯に差し替えれば、特に問題は起きない。しかし、このＬＥＤ照明灯を新しいものに交換するようなときは、一般ユーザがその差し替えを行うものであるから、ＬＥＤ照明灯の極性を無視して交換する可能性が高い。そうすると、前述したようなことが起こり得る。そうでなくても、極性を一致させながら交換するのは以外と面倒な確認作業を伴う。上記特許文献１〜４にはこれらに関する問題点を克服する技術は開示されていない。
【００１３】
そこで、この発明はこのような従来の課題を解決したものであって、少なくともＬＥＤ照明灯など、照明灯の極性を気にすることなく差し替えができる照明灯およびこれを使用した照明器具を提案するものである。
【００１４】
さらに、この発明では簡単な構成で照明灯の調光や、点灯時間の調整、停電時の非常灯として使用できるようにした照明器具を提案するものである。
【課題を解決するための手段】
【００１５】
請求項１に記載した照明灯は、縦続接続された複数の発光素子と、初段の発光素子のアノード側に接続される第１の整流回路と、終段の発光素子のカソード側に接続される第２の整流回路とからなることを特徴とするものである。
【００１６】
照明灯自体に整流回路を設けることで、器具本体に設けられたソケットの差し込み口に対する照明灯の口金ピンの差し込み位置を確認しないでも、必ず電源回路からの直流電圧（駆動電圧）のうちプラスの電圧は発光素子のアノード側に印加され、マイナスの電圧はカソード側に印加される。
【００１７】
請求項４に記載したこの発明に係る照明器具は、器具本体と、この器具本体に取り付けられる照明灯と、この照明灯に供給される電源回路とからなることを特徴とする。
【００１８】
照明灯は請求項１〜３記載の照明灯が使用されるので、安全な照明器具を提供できる。
【発明の効果】
【００１９】
この発明に係る照明灯および照明器具は、その内部に一対の整流回路を具備するので、器具本体のソケットに加わる駆動電圧が、どの差し込み口に加わっているかに拘わらず、しかも口金ピンの差し込み位置を気にしないでも、必ず照明灯を安全・確実に点灯させることができる。したがって、既存の蛍光灯用器具本体をＬＥＤ照明灯用として流用した場合でも、安全であり、交換作業の簡便さ、取り付け操作の時間を短縮できる。
【００２０】
電源回路に内蔵された制御回路に対して、その通信ポートより、調光信号、人感センサ信号、タイマー信号、停電検知信号などのうち任意の信号を供給することで、任意の照明器具の調光調整が可能になる他、在室の有無や廊下を歩く人の気配によって照明灯のオンオフを自動的に制御でき、さらには廊下あるいは工場やオフィスの出入り口に取り付けることで、この照明灯を停電時の非常灯あるいは誘導灯として利用することができる。
【図面の簡単な説明】
【００２１】
【図１】この発明に係る照明器具の一例を示す概念図である。
【図２】照明灯の一例を示す具体的な接続図である。
【図３】照明灯の照明動作の例を示す図である。
【図４】照明器具に設けられる電源回路の具体例を示す接続図である。
【図５】調光操作の一例を示すタイミングチャートである。
【図６】照明器具に備えられる各種機能の説明図である。
【図７】この発明に係る照明器具の他の例を示す概念図である。
【図８】図７に使用される照明器具の具体的な構成図である。
【図９】この発明に係る照明器具のさらに他の例を示す概念図である。
【図１０】この発明に係る照明器具のさらに他の例を示す概念図である。
【図１１】この発明に係る照明器具のさらに他の例を示す概念図である。
【発明を実施するための形態】
【実施例１】
【００２２】
続いてこの発明に係る照明灯およびこれを使用した照明器具１０について図を参照して説明する。
【００２３】
図１はこの発明に係る照明器具１０の一例を示す概念図である。
この照明器具１０は、一般的な照明器具として使用されるものであって、その使用場所には特に制限されない。したがって、居室用、廊下用、トイレ用、オフィス用、工場用、店舗用などで使用できる。また、蛍光灯の代替としても機能するので、既存の蛍光灯器具の一部をこの照明器具１０の一部として流用することができる。
【００２４】
図１に示す照明器具１０は、器具本体１２と、発光素子からなる照明灯２０と、この照明灯２０に駆動電圧等を与えるための電源回路５０とで構成される。
【００２５】
器具本体１２の下面には、その左右両端に一対のソケット（コネクタ）１４Ａ，１４Ｂが取り付けられる。ソケット１４Ａ，１４Ｂは照明灯２０の保持と電圧印加の双方の機能を持つ。したがって照明灯２０に設けられた一対の口金ピンに対応してソケット１４Ａ，１４Ｂには通常２つの差し込み口が並設され、電源の入力端子として機能する。器具本体１２は蛍光灯で使用されていたものを流用することもできれば、もちろん専用の器具本体１２を使用することもできる。
【００２６】
照明灯２０は、直管式であって、現行の蛍光灯と同一サイズで、同一形式のものとして構成されている。したがって、直管式で所定長の円筒チューブ２１と、円筒チューブ２１の両端に取り付けられた口金２２Ａ，２２Ｂとで構成され、口金２２Ａ，２２Ｂには一対の口金ピン２３ａ，２３ｂが所定長だけ突出するように設けられる。この口金ピン２３ａ，２３ｂをソケット１４Ａ，１４Ｂの差し込み口に差し込んで、器具本体１２への固定と、器具本体１２からの電源供給がなされる。
【００２７】
この照明灯２０は発光素子２５（図２参照）が使用される。発光素子２５としては現在主流のＬＥＤ素子（以下ＬＥＤという）が使用されている。所定の照度となるようにＬＥＤ２５が複数縦続接続されて構成される。詳細は後述する。
【００２８】
器具本体１２には電源回路５０が設けられる。この電源回路５０から、照明灯２０に対する電源の供給がなされる。電源回路５０にはマイコンで構成された制御回路が内蔵されているが、その機能については後述する。ＬＥＤ２５は直流点灯であるので、電源回路５０からはプラスの電源ライン（電源端子）５０ａとマイナスの電源ライン（電源端子）５０ｂが引き出され、それぞれがソケット１４Ａ，１４Ｂに接続される。図の例では、右側ソケット１４Ａにプラスの直流電源が供給され、左側ソケット１４Ｂにマイナスの直流電源が供給される。
【００２９】
図２はこの発明に係る照明灯２０の一例を示す構成図である。この照明灯２０は複数の発光素子２５からなる発光灯２２が使用される。発光素子２５としては上述したように現在主流となっているＬＥＤである。所定の照度を得るためＬＥＤは複数個縦続に接続して使用される。
【００３０】
この例では、さらに並列接続された２個のＬＥＤ２５を１組としてさらにこれらが複数個縦続に接続した例を示す。これは単一のＬＥＤ２５を単に直列接続しただけでは、そのうち１個のＬＥＤでも、何らかの原因で通電できなくなると、全てのＬＥＤが全く点灯しない。これをなくすため、１個若しくは複数個のＬＥＤが故障した場合でも点灯して照明灯として機能させるためであり、並列接続したＬＥＤ２５を１組として縦続に接続した構成となっている。
【００３１】
縦続接続されたＬＥＤ２５のうち、初段のＬＥＤ２５ａ側には第１の整流回路３０が接続され、終段のＬＥＤ２５ｎ側には第２の整流回路４０が接続される。
複数の発光素子２５からなる発光灯２２と、第１及び第２の整流回路３０，４０は同一若しくは複数に分割されたプリント基板（図示はしない）上に実装され、このプリント基板が円筒チューブ２１内に固定される。円筒チューブ２１内には光を室内に向けて反射させるための反射板等を設けることができる。
【００３２】
第１と第２の整流回路３０，４０は同一構成であって、４個のダイオードからなるブリッジ回路が用いられる。第１の整流回路３０と、発光灯２２としてのＬＥＤ２５および第２の整流回路４０は全体としてその電流方向が一致して１つの直列回路となるように相互の接続関係に選ばれる。具体的には以下のように接続される。
【００３３】
第１の整流回路３０の各接続中点ｐ，ｑ，ｒ，ｓから導かれた端子のうち、初段のＬＥＤ２５ａのアノード端子に対し、第１の整流回路３０を構成する一対のダイオードのカソード端子側が何れも、これと直列となるように、ＬＥＤ２５ａのアノード端子が第１の整流回路３０の接続中点ｐに接続される。
これに対し終段のＬＥＤ２５ｎにはそのカソード端子と直列となるように、第１の整流回路３０の接続中点ｑがこの終段のカソード端子側に接続される。したがってこれら一対の接続中点ｐ，ｑは何れも内部端子として機能し、残りの一対の接続中点ｒ，ｓは外部端子１，２として利用される。
【００３４】
第２の整流回路４０の接続も、第１の整流回路３０と同じ考えである。したがって、まず初段のＬＥＤ２５ａのアノード端子に対し、第２の整流回路４０を構成する一対のダイオードのカソード端子側が何れも、これと直列となるように、ＬＥＤ２５ｎのアノード端子が第２の整流回路４０の接続中点ｐに接続される。
【００３５】
終段のＬＥＤ２５ｎにはそのカソード端子と直列となるように、第２の整流回路４０の接続中点ｑがこの終段のカソード端子側に接続される。したがってこれら一対の接続中点ｐ，ｑは何れもＬＥＤ２５用の内部端子（内部接続端子）として機能し、残りの一対の接続中点ｒ，ｓは外部端子３，４として機能する。
【００３６】
このような関係に接続した場合の導通状態を以下に説明する。
（１）プラス電源が外部端子１に接続された場合
図２を参照して説明する。この場合には、図１の構成からすると外部端子３，４の何れかにマイナス電源が接続されていることになる。外部端子１からの電流は、矢印ａ→矢印ｂ（実線矢印）又は矢印ａ→矢印ｃ（鎖線矢印）のように何れもＬＥＤ２５を介して流れる。つまり、他方のソケット１４Ｂ内の差し込み口である内部供給端子の何れかにマイナスの電源ライン（電源端子５０ｂ）が接続されていれば、導通してＬＥＤ２５が点灯する。
【００３７】
ソケット１４Ａ，１４Ｂに対する電源ラインの接続の仕方が図１とは異なる場合もあり得る。例えば一方のソケット１４Ａの内部供給端子のみにプラスとマイナスの電源ラインが接続されている場合である。この場合には、外部端子１からの電流は、矢印ａ→矢印ｄ（破線矢印）のようにＬＥＤ２５を介して外部端子２に流れるから、このような接続例でもＬＥＤ２５が導通して点灯する。
【００３８】
何れの場合にも、極性を気にすることなく、ソケット１４Ａ，１４Ｂに口金ピン２３ａ，２３ｂを差し込むだけでＬＥＤ２５を正しく点灯させることができる。
（２）プラス電源が外部端子４に接続された場合
図３は、第２の整流回路４０側にプラスの電源ライン（電源端子５０ａ）が接続されていると仮定したときの導通例である。この場合にも、図１の構成からすると外部端子１，２の何れかにマイナス電源が接続されていることになる。外部端子４からの電流は、矢印ｅ→矢印ｆ又は矢印ｅ→矢印ｇのように流れる。つまり、一方のソケット１４Ａ内の内部供給端子の何れかにマイナスの電源ライン（電源端子５０ｂ）が接続されていれば、ＬＥＤ２５を通る電流通路が形成されてＬＥＤ２５が点灯する。
【００３９】
ソケット１４Ａ，１４Ｂに対する電源ラインの接続の仕方が図１とは異なる場合も考えられる。例えば他方のソケット１４Ｂの内部供給端子にプラスとマイナスの電源ライン（電源端子５０ａ，５０ｂ）が接続されている場合である。この場合には、外部端子４からの電流は、矢印ｅ→矢印ｈを通って外部端子３に流れるから、このような接続例でもＬＥＤ２５が導通して点灯する。
【００４０】
この場合においても、極性を気にすることなく、ソケット１４Ａ，１４Ｂに口金ピン２３ａ，２３ｂを差し込むだけでＬＥＤ２５を正しく点灯させることができる。
【００４１】
図４は照明器具１０に具備された電源回路５０の一例を示す。
この例は停電時に照明灯２０を非常灯としても活用できるようにした場合を示してあるので、電源回路５０としては照明灯２０に対する電源部（ＬＥＤ用電源回路）５２の他に、非常用の電源部として充電用電源回路５４が設けられている。
【００４２】
ＬＥＤ用電源回路５２には交流電源（９０〜２４０ボルト程度）が電源スイッチＳＷを介して供給され、ＬＥＤ２５を点灯できる電圧に降圧されると共に、定電流でＬＥＤ２５を駆動できるように定電流源として構成されている。電源電圧は逆流阻止用のダイオード６２および降圧用の抵抗器６３を介してプラスの電源端子５０ａに供給される。照明灯２０に必要な電流（２５ワット程度の照度を得るためには約８５０ｍＡの電流）を流すため、プラスの電源端子５０ａには所定の電圧（直流駆動電圧であって、この例では２７ボルト程度）が出力される。このプラスの電源端子５０ａとマイナスの電源端子５０ｂとの間に得られるこの例では約２７ボルトの駆動電圧が照明灯２０の両端に供給される。
【００４３】
ＬＥＤ用電源回路５２からはさらに逆流阻止用のダイオード７２を介して停電回路７０を構成する充電用電源回路５４に所定の電圧が供給され、その供給電圧で充電池７６が充電される。この例では、充電池（二次電池）７６としてリチウム電池が３本使用され、約２７ボルトの非常用電圧を得ている。この非常用の電圧はスイッチング素子として機能するトランジスタ６４および電流制限用の抵抗器６６さらには逆流阻止用のダイオード６７を介してプラスの電源端子５０ａまで導かれる。
【００４４】
スイッチング用のトランジスタ６４は停電切り替え回路７４からのスイッチング信号でそのオンオフが制御される。
【００４５】
上述したＬＥＤ用電源回路５２に関連してマイコンからなる制御回路６０が設けられている。この制御回路６０には外部との通信を行うための通信ポート６０ａを備えると共に、電源スイッチＳＷのオンオフに関連した信号が調光の調整を行うための信号として供給される。
【００４６】
通信ポート６０ａには、人感センサからのセンサ出力、停電検知に伴う検知信号、照明灯２０の点灯時間や消灯時間を設定するためのタイマー信号のうち任意の信号が供給され、それに伴った信号がこの制御回路６０から出力されて、ＬＥＤ用電源回路５２が制御される。
【００４７】
停電に伴う検知信号が入力すると、制御回路６０からは停電切り替え回路７４に切り替え制御信号が供給され、この切り替え制御信号に基づいてスイッチング信号が生成されてスイッチング用のトランジスタ６４が制御される。制御回路６０から直接スイッチング用のトランジスタ６４を制御するように構成することもできる。
【００４８】
停電状態は電源スイッチＳＷのオンオフからでは検知できない。通常の電源オフと停電とを判別できないからである。そのため、この例では交流電源４４に接続されたコンセント８２に停電検知回路８０を接続し、この停電検知回路８０で停電の有無を検知する。停電検知回路８０は送信機能を有し、停電を検知したときに得られる停電検知信号は電源回路５０に設けられた受信機９０で受信される。停電検知回路８０も受信機９０もバックアップ用の電池８１，９１を備えている。受信機９０用のバックアップは充電池７６から得ている。
【００４９】
受信機９０で受信した停電検知信号は上述した通信ポート６０ａを介して制御回路６０に入力されるので、上述したような停電処理が行われる。つまり、このときはスイッチング用のトランジスタ６４がオンするので、充電池７６の充電電圧が、ＬＥＤ用電源回路５２の電圧に代えてプラスの電源端子５０ａに供給される。そして、電流制限用の抵抗器６６の存在で、その電流値は通常時よりも大幅に低く制限されるが、照明灯２０は消灯することなく点灯状態を保持する。したがって、停電時はこの照明灯２０および照明器具１０は非常灯として使用することができる。
【００５０】
この例では、１００ｍＡ程度まで制限できるように設計されているので、照明灯２０の明るさは相当暗くなる。しかし、停電時は明かりを確保するのが重要であり、しかもある程度の時間点灯状態を保つ必要があるので、明るさが制限されている。実験によると、約２時間程度明かりを確保することができる。
【００５１】
上述した通信ポート６０ａに供給される人感用のセンサ信号であるが、これはこの照明器具１０を廊下やトイレなどの照明器具として使用する場合、トイレの近くあるいは廊下の出入り口などに人感センサを取り付けておくことで、照明灯２０を自動的にオンオフ制御できるので節電対策となる。センサ出力はケーブルで通信ポート６０ａに伝達される。
【００５２】
調光機能について説明する。
この例では、電源スイッチＳＷのオンオフ操作を利用して調光するようにしてある。例えば一旦オン操作を行った後の所定時間（設定時間Ｔ）内にオフオン操作が行われたことを制御回路６０が判別し、その繰り返し回数に応じた電流値となるようにＬＥＤ用電源回路
５２が制御される。４段階調光の例を、図５を参照して説明する。
【００５３】
所定時間Ｔを２秒に選んだ場合、図５Ａのように一旦オンしてからそのまま放置しておくと、第１の調光レベルとなり例えば最大の明るさ（例えば２５Ｗ）となる。
これに対して、図５Ｂのようにオンしてから２秒以内にオフしてから再びオンすると（１回目のオフオン操作）、２番目の明るさ（第２の調光レベルであって、例えば２０Ｗ）となるように照明灯２０に供給する電流値を下げるようにＬＥＤ用電源回路５２が制御され、この調光状態が継続する。
【００５４】
これに対し、図５Ｃのように直前にオンしてから２秒以内にさらにオフオン操作を行なわれると（２回目のオフオン操作）、３番目の明るさ（第３の調光レベルであって、例えば１５Ｗ）に調光される。同様に、さらに２秒以内にオフオン操作を行うと（図５Ｄ）、今度は最低の明るさ（第４の調光レベルであって、例えば１０Ｗ）に調光される。その後再びオフオン操作によって元の明るさ（２５Ｗ）に戻る。
【００５５】
このようなトリクル動作による調光処理が電源スイッチＳＷのオンオフ操作のみで達成できる。最終的に電源スイッチＳＷをオフしても、直前の調光状態はメモリされているので、次に電源スイッチＳＷをオンすると、直前に調光した明るさとなる。
【００５６】
設定時間である２秒以内に続けてオンオフ操作しても、そのオンオフ操作回数に関連した調光を実現できる。電源スイッチＳＷのオンオフ操作に関連させて調光するため、調光のための特別な部品や回路を必要としない。
【００５７】
図６は、図１の制御回路６０に設けられた通信ポート６０ａに供給される制御信号（制御データ）の生成例であって、照明器具１０とは別個に調光器８５、人感センサ８６、プログラムタイマー８７が設けられる。これらは照明器具１０がどの場所に設置されるかによって選択できる。調光器８５は設置場所に拘わらず設けることができるが、廊下やトイレなどに設置される場合には、プログラムタイマー８７などは要らないかもしれない。調光器８５や人感センサ８６などはいずれも、室内の所定箇所（設定し易い箇所や感知し易い箇所）に設けられることになる。
【００５８】
通信媒体としては、無線通信でもよい。この場合には集中制御器を設け、調光のレベルや、点灯や消灯時間を設定するプログラムデータタイマーなどを一括して取り扱うことになる。
【実施例２】
【００５９】
図７に示すこの発明に係る他の例は、照明灯２０を非常灯として使用するときの制御系を外付けで使用する場合である。これは、全ての照明器具１０にこの制御系を内蔵させておく必要はないからで、必要な箇所に設置する場合のみ選択的に設ければよい。
【００６０】
図１と同一の部分には同一の符号を付してその説明を割愛する。本例では、図１に示す停電回路７０が電源回路５０から分離された外付け構成となされ、器具本体１２に取り付けられる。
【００６１】
図８は停電回路７０を外付け構成としたときの具体例である。この停電回路７０も図１と同じく充電用電源回路５４、リチウム電池などが使用された充電池（二次電池）７６，停電切り替え回路７４および停電検知信号用受信機９０で構成される。
【００６２】
電源スイッチＳＷの後段より取り出された交流電源は停電回路７０を構成する充電用電源回路５４に導かれ、この充電電源によって充電池（二次電池）７６が充電される。二次電池の充電電圧はスイチッング素子であるトランジスタ６４、電流制限用の抵抗器６６および逆流阻止用のダイオード６７を介してプラス側の電源端子５０ａに導かれる。
【００６３】
一方、交流電源４４に接続されたコンセント８２には停電検知回路８０が接続され、停電の有無が検知される。停電検知回路８０を電源スイッチＳＷと関連させないようにしたのは、停電とスイッチ操作による電源のオンオフとを確実に判別するためである。
【００６４】
この例でも、停電検知回路８０には送信手段（送信機）が内蔵され、停電検知信号は無線で、受信機９０に向けて送信される。受信機９０で受信された停電検知信号によって停電切り替え回路７４が制御される。停電切り替え回路７４ではスイッチング用のトランジスタ６４のオンオフ状態が制御され、停電検知信号を受信すると、このスイッチング用のトランジスタ６４がオンしてプラスの電源端子５０ａに非常用の駆動電源が印加される。これで、停電時でも照明灯２０には所定の電源が供給できるようになり、照明器具１０を非常時用の照明器具として活用できる。
【００６５】
停電切り替え回路７４には小規模のマイコンが搭載されている。これは停電検知信号が瞬電のような瞬時の停電なのかどうかを判別し、瞬電の場合には停電回路７０が動作しないようにしている。したがって、この場合には一時的な停電となるが、瞬電以上の長い停電の場合には停電回路７０が動作する。この瞬電判別などに供するマイコンは、停電検知回路８０搭載することもできる。瞬電に対応するように停電回路７０を構成できることは言うまでもない。
【実施例３】
【００６６】
図９以下はこの発明に係る照明器具１０の他の実施例を示すもので、室内等に複数の照明器具１０が設置されている場合に対する適用例である。この場合には、集中制御が好ましいので、図９のように集中制御器１００が壁など、適切な場所に設置される。集中制御器１００と各照明器具１０この例では４台の照明器具１０Ａ〜１０Ｄとの間は信号ケーブル１０２で結合される。
【００６７】
集中制御器１００には、照明器具１０自体のオンオフ機能の他に、上述したように調光機能、タイマー機能、停電監視機能など、集中して制御すべき機能を達成できる機能が搭載されている。
【００６８】
集中制御器１００と各照明器具１０との間は、信号ケーブル１０２以外の結合形態も考えられる。例えば、図１０のように光通信によって相互を連結することができる。この場合には、集中制御器１００には光送信手段（投光器あるいは発光器）１０３と受光器１０６が設けられるのに対し、それぞれの照明器具１０には受光器１０４と投光器１０５とが設けられる。
【００６９】
集中制御器１００から発した制御信号（光信号）には照明器具１０を識別する識別情報を含ませることができる。個別的に制御するためである。例えば、窓際の照明器具と奥側の照明器具の明るさを調整するような場合に有用である。
【００７０】
識別情報を備えた制御信号の場合は、初段の照明器具１０Ａで受光・識別され、その後この初段の照明器具１０Ａから隣接する照明器具１０Ｂに制御信号が伝達される。この処理が順次他の照明器具１０Ｃ，１０Ｄでも実行される。その結果、識別情報が一致した照明器具１０だけがこの制御信号に反応して対応する機能が実行される。
【００７１】
識別情報のない制御信号の場合には、全ての照明器具１０に対して一斉に送信され、全ての照明器具１０が同じ制御が実行されるので、この場合にはそれぞれの照明器具１０に投光器を設ける必要はない。
【００７２】
図１１は、無線による集中制御例を示すもので、集中制御器１００には送信機が設けられるのに対し、各照明器具１０にはそれぞれその受信機９０Ａ〜９０Ｄが設けられる。制御信号には上述した識別情報を含む場合と、含まない場合とが考えられる。これによって個別的に制御すべきか、一括して制御すべきかを選択することが可能である。
【産業上の利用可能性】
【００７３】
この発明は蛍光灯に代わる照明器具として適用できる。
【符号の説明】
【００７４】
１０・・・照明器具
１２・・・器具本体
１４Ａ，１４Ｂ・・・ソケット
２０・・・照明灯
２３ａ，２３ｂ・・・口金ピン
２５・・・発光素子であるＬＥＤ
２５ａ・・・初段のＬＥＤ
２５ｎ・・・終段のＬＥＤ
３０，４０・・・第１および第２の整流回路
ｐ，ｑ，ｒ，ｓ・・・接続中点
１〜４・・・外部端子
５０・・・電源回路
５０ａ，５０ｂ・・・電源端子
５２・・・ＬＥＤ用電源回路
５４・・・充電用電源回路
６０・・・制御回路
７６・・・充電池
７４・・・停電切り替え回路
ＳＷ・・・電源スイッチ
【図１】
2013235655.tif 000003
【図２】
2013235655.tif 000004
【図３】
2013235655.tif 000005
【図４】
2013235655.tif 000006
【図５】
2013235655.tif 000007
【図６】
2013235655.tif 000008
【図７】
2013235655.tif 000009
【図８】
2013235655.tif 000010
【図９】
2013235655.tif 000011
【図１０】
2013235655.tif 000012
【図１１】
2013235655.tif 000013